(57)【要約】【課題】本発明は安全かみそりの替刃組立体を収納する容器に関するものであり、単一の替刃組立体を収納する収納部を複数有する容器であって、容器をシールで密封した場合に、収納部ごとにシールを剥がしても残されたシールが簡単に剥がれる虞のない容器を提供することを目的とする。【解決手段】１つの替刃組立体を収納するための収納部を少なくとも２つ有し、各収納部は替刃組立体が自然に抜け出ることを防止するための抜け出し防止手段を有する替刃組立体の容器であって、各収納部は互いに空間を隔てて配置されている。【選択図】  図１
2004166878.tif 000002
【特許請求の範囲】
【請求項１】
１つの替刃組立体を収納するための収納部を少なくとも２つ有し、各収納部は替刃組立体が自然に抜け出ることを防止するための抜け出し防止手段を有する替刃組立体の容器であって、各収納部は互いに空間を隔てて配置されていることを特徴とする容器
【請求項２】
隣合う収納部が、対向する側面の上端で一体に連結されている請求項１記載の容器
【請求項３】
隣合う収納部が、板状連結部で一体に連結されている請求項２記載の容器
【請求項４】
板状連結部の下方にリブが一体に設けられている請求項３記載の容器
【請求項５】
各収納部は上端に外向きのフランジが延在し、該フランジの一部が板状連結部をなす請求項３又は請求項４記載の容器
【請求項６】
剥離可能なシールが、容器の上面をほぼ全面的に覆うように貼着されている請求項１乃至請求項５記載の容器
【請求項７】
シールを各収納部ごとに分離して剥離できるように、各収納部を覆う各シール間に切り離し線又は間隔が設けられている請求項６記載の容器
【請求項８】
切り離し線又は間隔は、隣合う収納部を隔てる空間上のシールに設けられている請求項７記載の容器
【請求項９】
シールと一体に形成された突片部が突出している請求項６乃至請求項８記載の容器
【請求項１０】
ほぼ矩形に形成された収納部が平行に並んでおり、シールと一体に形成された突片部が容器の一端又は両端から突出している請求項９記載の容器
【請求項１１】
収納部の長手方向に対し直角の方向を前後方向と定義して、端部から突出する突片部は前後方向に関し偏倚して形成されている請求項１０記載の容器
【請求項１２】
収納部の一方の側部のみに他の収納部が連結されているときは、突片部は他の収納部寄りに偏倚している請求項１１記載の容器
【請求項１３】
突片部が容器の少なくとも一方の端部から突出し、容器の端部のいずれかの位置において、前記突片部に少なくとも１つの凹部が形成されている請求項９乃至請求項１２記載の容器
【請求項１４】
替刃組立体の抜け出し防止手段は、収納部の対向する内面に設けられた複数の係止用突起である請求項１乃至請求項１３記載の容器
【発明の詳細な説明】
【０００１】
【発明の属する技術分野】
本発明は、替刃式安全かみそりに着脱自在に装着される替刃組立体の容器に関する。
【０００２】
【従来の技術】
替刃組立体の容器は従来から存在し、シールを貼着して内部を密封した容器も存在する（例えば、特許文献１参照）。特許文献１のクレーム１は、入口の周囲にシール面を有する容器と、収納部に保持される替刃組立体と、剥離性フィルムを有する容器であって、保持構造は対向する側面から内方へ突出している構成である。また、これと同じように剥離性フィルムを貼着した容器は特許文献１の出願前に開示されている（例えば、特許文献２参照）。特許文献１のクレーム４は、フィルムの剥離を開始するためのプラスチック・タブが設けられている構成であるが、包装容器の密封蓋を開くためにタブを使用することは普通に行なわれている（例えば特許文献３，特許文献４参照）。
【０００３】
前記特許文献１のクレーム１３はクレーム１の従属項であって、容器が替刃組立体を所望の位置に支持する支持部材を容器の底面上に有し、替刃組立体を保持する保持構造が容器の側面であって、前記支持部材よりも高い位置に配置される構成である。これと同じ構成についても既に公知である（例えば、特許文献５参照）。
【０００４】
前記特許文献１のクレーム１７は、替刃組立体を保持するための保持構造が側面に対して傾斜し入口側を向く面を有する構成であるが、このような構成は既に開示されている（例えば、特許文献６、特許文献７参照）。クレーム１８は、保持構造が側面に対して傾斜し底面側を向く面を有する構成であるが、この構成も既に開示されている（例えば、特許文献７参照）。また、クレーム５３は、シールされた容器の製造方法であって、入口の周囲にシール面を有するプラスチック容器を提供する段階と、替刃組立体を収納部に置く段階と、入口を覆うように可剥離性フィルムをシール面に対してシールする段階を含み、収納部が少なくとも２面の対向する側面によって画定され、これらの側面の各々は内方に突出する保持構造を有し、替刃組立体はプラスチック・ハウジングと複数の刃体を含むものである、シールされた容器を製造する方法について記載されている。このような方法で替刃組立体を収納することはすでに公報に開示されている（例えば、特許文献８参照）。また、入口を覆うように可剥離性フィルムをシール面に対してシールする方法は前述した通り公報に開示されている（例えば、特許文献１参照）。
【０００５】
【特許文献１】
国際公開第０１／０９００２号パンフレット
【特許文献２】
特開昭５６−８５３０６号公報（第１２図）
【特許文献３】
独国特許出願公開第１９７５１４２８号明細書
【特許文献４】
米国特許第３９６４６７０号明細書
【特許文献５】
特公昭５４−９５４１号公報（図２１、図２２、図２５）
【特許文献６】
意匠登録第８０１１１６号公報
【特許文献７】
意匠登録第９３５６８０号公報（Ａ−Ａ断面図）
【特許文献８】
実公平６−８８０６号公報（第７図）
【０００６】
【発明が解決しようとする課題】
以上述べたように、最新の従来技術は前記特許文献１に示されているが、ここに記載された替刃組立体を容器に保持する構成や入口を密封する構成については、それ以前に発行された前記各特許文献等にも開示されている。また、複数の収納部を設けた容器は特許文献２以下に開示されおり、いずれの特許文献でも複数の収納部は仕切壁で仕切られた構成である。したがって、複数の収納部を有する容器を密封するシールを貼って、各収納部ごとにシールを剥がすための切り取り線を仕切壁の部分に設けたときに、仕切壁は薄く形成されているから、残されたシールが仕切壁の部分で剥がれてしまう虞がある。そこで、本発明は複数の収納部を有する容器をシールで密封した場合に、収納部ごとにシールを剥がしても残されたシールが簡単に剥がれる虞のない容器を提供することを目的とする。
【０００７】
【課題を解決するための手段】
本発明の請求項１は、１つの替刃組立体を収納するための収納部を少なくとも２つ有し、各収納部は替刃組立体が自然に抜け出ることを防止するための抜け出し防止手段を有する容器であって、各収納部は互いに空間を隔てて配置されている構成である。請求項２は、隣合う収納部が対向する側面の上端で一体に連結されている構成であり、請求項３は、隣合う収納部が板状連結部で一体に連結されている構成である。請求項４は、板状連結部の下方にリブが一体に設けられている構成である。
【０００８】
請求項５は、各収納部は上端に外向きのフランジが延在し、該フランジの一部が板状連結部をなす構成であり、請求項６は、剥離可能なシールが、容器の上面をほぼ全面的に覆うように貼着されている構成である。請求項７は、シールを各収納部ごとに分離して剥離できるように、各収納部を覆う各シール間に切り離し線又は間隔が設けられている構成であり、請求項８は、切り離し線又は間隔が、隣合う収納部を隔てる空間上のシールに設けられている構成である。
【０００９】
請求項９は、シールと一体に形成された突片部が突出している構成である。請求項１０は、ほぼ矩形に形成された収納部が平行に並んでおり、シールと一体に形成された突片部が容器の一端又は両端から突出している構成である。請求項１１は、収納部の長手方向に対し直角の方向を前後方向と定義して、端部から突出する突片部が前後方向に関し偏倚して形成されている構成である。請求項１２は、収納部の一方の側部のみに他の収納部が連結されているときは、突片部は他の収納部寄りに偏倚している構成である。
【００１０】
請求項１３は、突片部が容器の少なくとも一方の端部から突出し、容器の端部のいずれかの位置において、前記突片部に少なくとも１つの凹部が形成されている構成である。請求項１４は、替刃組立体の抜け出し防止手段が、収納部の対向する内面に設けられた複数の係止用突起である構成である。
【００１１】
【発明の効果】
請求項１は、各収納部は互いに空間を隔てて配置されている構成である。したがって、容器全体をシールで密封して収納部の境にシールの切り離し線を入れ、その線に沿ってシールを剥がしたときに、各収納部の間に空間があってある程度の幅が確保できるから、残されたシールはその境の幅があるために簡単に剥がれる虞がない。また、薄い仕切壁で仕切ったときは、替刃組立体の着脱時の振動が隣りの替刃組立体に伝わって容器から外れる虞があり、そのために替刃組立体を強い力で保持しなければならず、替刃組立体の取り出しに大きな力が必要であった。本発明は収納部が空間で隔てられており、替刃組立体の着脱が隣りに収納されている替刃組立体に影響を与えないので、従来より弱い保持力で替刃組立体を固定することができ、特に女性が使用するについて好都合である。
【００１２】
請求項２は隣合う収納部が対向する側面の上端で一体に連結され、請求項３は隣合う収納部が板状連結部で一体に連結されている。したがって、容器をプラスチックの射出成形で容易に製造できる。請求項４は、板状連結部の下方にリブが一体に設けられているので、板状連結部をやや薄めに形成しても破損する虞がない。請求項５は各収納部の上端に外向きのフランジが延在し該フランジの一部が板状連結部をなす構成であり、フランジによって収納部の上端を補強できる。請求項６は、剥離可能なシールが容器の上面をほぼ全面的に覆うように貼着されているので、収納部に水が浸入することがなく浴室内で使用するときなどに替刃組立体を濡らすことを防止できる。請求項７は、シールを各収納部ごとに分離して剥離できるように、各収納部を覆う各シール間に切り離し線又は間隔が設けられている。したがって、使用する替刃組立体を取り出し、残りの替刃組立体を引き続き密封しておくことができる。請求項８は、切り離し線又は間隔が、隣合う収納部を隔てる空間上のシールに設けられている。空間上のシールの幅は、従来のような仕切壁上のシールよりも幅が広い。したがって、一方のシールが剥がされたときに、残っているシールの空間上の貼着幅は比較的広いので、その部分でシールが剥がれる虞がない。
【００１３】
請求項９は、シールと一体に形成された突片部が突出しているので、突片部を摘んでシールを容易に剥がすことができる。請求項１０は、ほぼ矩形に形成された収納部が平行に並んでおり、シールと一体に形成された突片部が容器の一端又は両端から突出している構成である。したがって、シールを各収納部ごとに剥がすことができる。請求項１１は、収納部の長手方向に対し直角の方向を前後方向と定義して、端部から突出する突片部が前後方向に関し偏倚して形成されており、請求項１２は、収納部の一方の側部のみに他の収納部が連結されているときは、突片部は他の収納部寄りに偏倚している。したがって、いずれの場合においても突片部を摘んでシールを剥がす際に、剥がす当初の力が切り離し線に近い位置に加わってシールを収納部に対して斜めに剥がして行くので、シールを容易に剥がすことができる。
【００１４】
請求項１３は、突片部が容器の少なくとも一方の端部から突出し、容器の端部のいずれかの位置において、前記突片部に少なくとも１つの凹部が形成されている構成である。凹部は一つの収納部に関する突片部に設けられてもよく、隣合う収納部の境の突片部に設けられてもよい。製造工程においてシールを容器に貼着する際に、シールの位置決め用の軸を凹部に宛てがうことによってシールを正確に貼着することができる。請求項１４は、替刃組立体の抜け出し防止手段が、収納部の対向する内面に設けられた複数の係止用突起である構成である。したがって、収納部内の替刃組立体を裏返しに装着しておき、ホルダーの替刃結合装置を替刃組立体の結合装置に結合して、そのまま替刃組立体を収納部から引き出して使用することができる。
【００１５】
【発明の実施の形態】
次に本発明の実施の形態を図面に従って説明する。図面は２つの収納部１，１を有しシール２で密封した容器３に関する。２つの収納部１，１はほぼ矩形をなしプラスチックで一体に形成され、それぞれの側面４，４が空間５を隔てて対向するように並んでいる。図４及び図７に示すように各収納部の両側面４，４内に、それぞれ２つの突起６，６が対向して形成されており、これらの突起６，６は収納された替刃組立体７が抜け出さないように保持する作用をなす。
【００１６】
図４の一部拡大図に示すように突起６，６は２つの傾斜面を有し、一方の傾斜面１４は他方の傾斜面１５の上方（シール方向）に位置して斜め上方を向いている。他方の傾斜面１５は斜め下方を向いていて、側面４に対する傾斜角度は他方の傾斜面１５の方が大きく形成されている。この理由は、使用後に替刃組立体７を収納する際に突起６の抵抗を少なくして容易に入れることができるようにし、収納後は替刃組立体７が簡単に抜け出ることを防止するためである。
【００１７】
収納部の底面８の両端近くに端面１６，１６と平行に延びる突条９，９が一体に設けられている。これらの突条９，９は収納された替刃組立体７を底面８から浮かせるためのものである。図４及び図６に示すように突起６は突条９の上方に設けられており、したがって、図７に示すように替刃組立体７は下方で突条９に支持され、替刃組立体７の前部と後部を突起６によって係止することにより収納部１内に保持されている。なお、本発明の収納部１の数は２に限定されないことは勿論であって３以上あってもよい。また、収納部１が矩形であるときは図１及び図２のように側面が対向するように平行に並ぶ場合に限定されるものでなく他の並び方であっても差し支えない。例えば、収納部の端面１６が対向するように細長い一直線状に並べてもよい。
【００１８】
収納部１，１の上端に外向きのフランジ１０，１０が一体に形成され、両収納部１，１は双方の側部に延在するフランジ同士が一体に連結した連結部１１により連結している。したがって、両収納部１，１の間の空間５は、ほぼ側部フランジ１２の２倍の幅を有する。この空間部５には、連結部１１を補強するためのリブ１３，１３が収納部１，１と一体に形成されている。連結部１１を比較的厚く形成したときは十分な強度を有するのでリブ１３，１３は不要である。また、連結部１１を比較的厚く形成し、両収納部１，１の境の線に沿って溝などを設けてもよい。これにより、必要に応じてその溝で両収納部１，１を密封状態で分割することができるから、携帯時に嵩張らず便利である。
【００１９】
シール２は収納部１，１を完全に密封できる形状に形成され容器のフランジ１０，１０及び連結部１１の上面に剥離可能に接着されている。シール２が各収納部１，１ごとに切り離し可能となるように、収納部１，１の境に沿ってミシン線１７を設けてある。このミシン線１７は連結部１１の上面に存在し、したがって空間５の上方に位置することになる。シール２を分離する手段はミシン線１７に限定されないことは勿論であって分離可能ないかなる手段であってもよい。例えば、ミシン線に代えて切れ目を設けて最初から完全に分離している構成であってもよい。
【００２０】
シール２には、収納部１，１の一方の端部フランジ１８から突出する突片部１９，１９が一体に形成されている。この突片部１９，１９は、指で摘んでシール２を剥がすためのものである。図１に示すように突片部１９，１９はほぼ台形に形成されており、設けられている位置は各収納部の端部フランジ１８，１８の中央ではなく、ミシン線１７の近くに寄っている。この理由は、突片部１９を指で摘んでシール２を剥がすときに、真横に引っ張るよりもミシン線１７から離れるように斜めに引っ張った方が剥がし易く、そのためには摘む位置がミシン線１７に寄っている方が確実にミシン線で切り離して行くことができるからである。なお、突片部は収納部の端部に設けずに他の場所に設けてもよいことは勿論である。たとえば収納部の角や側部に設けてもよい。
【００２１】
２つの突片部１９，１９の境に凹部２０が設けられている。この凹部２０は、製造工程において、長く連続しているシールを移動させて容器上の所定の場所に位置決めするためのピンを引っ掛ける目的で設けられている。凹部を対称的に設けたほうが確実にシールの位置決めができるので、他方の端部にも張り出し部２１，２１を設けてその境に同じ目的の凹部２２を設けてある。なお、凹部２０，２２は突片部１９，１９あるいは張り出し部２１，２１の境であるミシン線１７の延長上に設けるものに限定されるものでなく、単一の突片部１９あるいは張り出し部２１に切欠状に設けてもよいことは勿論である。図１に示すように、突片部１９，１９の近くに矢印の図形２３を印刷することによって、シール２を剥がす方法が使用者に容易に理解できる。
【００２２】
図１に示すように、収納部の側部フランジ１２，１２に沿ったシール２の部分にやや細長く幅の狭い切欠２４が２つずつ設けられている。これらの切欠２４が設けられている理由は、図８及び図９に示すようにかみそりスタンド２５に容器３を取り付けるときのためである。その理由について以下詳述する。図８に示すように容器３はかみそりスタンド２５に取り付けることができる。かみそりスタンド２５はその中央部に容器３を保持するための装置を有している。保持装置は、横向きの容器３を下から支える支持部２６と、上から宛がわれる一対の腕部２７，２７である。支持部２６は支えている容器３が落ちないように前面部２９を有している。また、容器３は支持部２６の上では重心の関係で後に傾くからかみそりスタンド２５が立っている状態では腕部２７，２７は不要であるが、かみそりスタンド２５を横にした場合を考慮して腕部２７，２７を設けたのである。さらに、腕部２７，２７の先端に下向きの爪２８，２８を設けて衝撃等による容器３の振動を受ける構成としてある。容器３はこのような装置によってかみそりスタンド２５に保持される。容器３をかみそりスタンド２５に取り付けるときは、容器のシール面が手前を向くようにして最初に容器３の下側の側部フランジ１２を支持部２６内に宛てがい、次いで上側の側部フランジ１２を強く押し、腕部２７，２７の弾性力を利用しながら爪２８と擦れ合うようにして腕部２７，２７の下方に完全に係合するまで押し付ける。この、爪２８と側部フランジ１２が擦れ合うときに、爪２８がその側部フランジ１２に接着しているシール２の端部を引っ掛けてめくり上げる虞がある。そこで、その部分のシールに切欠２４を設けることにより、シール２がめくれないようにしたのである。
【００２３】
本発明のシール２は、容器３をかみそりスタンド２５に保持させた状態で剥がすことができる。すなわち、かみそりスタンド２５の容器３に対する保持力を、シール２を剥がすために必要な力よりも大きくすることによって可能となる。そして、容器３を保持している爪２８の部分に切欠２４があってシール２がないから、シール２を剥がすときに剥がれつつあるシール２が爪２８に引っ掛かることがないのである。なお、容器３に対する保持力とシール２を剥がすための力の関係をこれと反対にしてもよい。そうすることによって、かみそりスタンド２５に取り付けられた容器３にシール２を剥がす何らかの力が作用したときに、シール２が剥がれるよりも前に容器３が保持装置から外れるのでシールが剥がれることを防止できる。
【００２４】
次に、シール２を構成する材料について説明する。シール２は複数の材料の層で構成されている。層を上から順に説明すると、一番上の層はＰＥＴ（ポリテレフタル酸エチレン）層であり、厚みはほぼ７５μｍである。ＰＥＴ層の底面に図１で示す矢印の図形２３の印刷層があり、ＰＥＴ層は透明であるために矢印の図形２３は上面から目視できる。さらに、その下に接着剤を介してアルミ箔が接着されている。アルミ箔の厚みはほぼ７μｍであり、その底面には接着剤を介してホットメルト接着材が接着されている。ホットメルト接着材はシール２と容器３を接着するためのものであって、８０℃から１２０℃程度に加熱された熱板で上から圧力をかけてシールを圧着するとホットメルト接着材が溶けて容器３に接着する。
【００２５】
さらに、シール２の材料に関する他の実施例について説明する。材料を上から順に説明すると、一番上はＰＥＴ層であって厚みはほぼ１２μｍであり、その下に矢印の図形の印刷層があり、その下に接着剤を介してアルミ箔が接着されている。アルミ箔の厚みはほぼ２０μｍである。アルミ箔の下に接着剤を介してポリエチレン層があり、その厚みはほぼ２０μｍである。さらにその下にホットメルト接着材の層があって容器３に接着することができる。
【００２６】
容器３又はシール２の少なくとも一方の一部又は全部を透明又は半透明にすると、収納されている替刃組立体７を目視できるので使用者にとって便利である。シール２を透明又は半透明にする方法としては、アルミ箔の一部に孔をあけ、他の層をすべて透明又は半透明の材料により構成すればよい。なお、図１０は本発明の容器と安全かみそりの保管状態を示すものであって、安全かみそり３０のヘッド部分にキャップ３１が取り付けられており、キャップ３１に設けた２つの係合孔（図示せず。）にかみそりスタンドの係合突起３２，３２が係合し安全かみそり３０はかみそりスタンド２５に保持される。かみそりスタンド２５に吸着盤や粘着シールを装着することによって、洗面所や浴室の壁などに固定することができる。
【図面の簡単な説明】
【図１】本発明の上面図
【図２】本発明の底面図
【図３】本発明の端面図
【図４】図１におけるＢ−Ｂ断面図及びその一部拡大図
【図５】本発明の側面図
【図６】図１におけるＡ−Ａ断面図
【図７】替刃組立体を収納した状態を示す断面図
【図８】かみそりスタンドに容器を取り付けた状態の正面図
【図９】かみそりスタンドに容器を取り付けた状態の断面図
【図１０】かみそりスタンドに容器及び安全かみそりを取り付けた状態の側面図
【符号の説明】
１  収納部
２  シール
３  容器
４  側面
５  空間
６  突起
７  替刃組立体
８  底面
９  突条
１０  フランジ
１１  連結部
１２  側部フランジ
１３  リブ
１４  一方の傾斜面
１５  他方の傾斜面
１６  端面
１７  ミシン線
１８  端部フランジ
１９  突片部
２０  凹部
２１  張り出し部
２２  凹部
２３  矢印の図形
２４  切欠
２５  かみそりスタンド
２６  支持部
２７  腕部
２８  爪
２９  前面部
３０  安全かみそり
３１  キャップ
３２  係合突起
【図１】
2004166878.tif 000003
【図２】
2004166878.tif 000004
【図３】
2004166878.tif 000005
【図４】
2004166878.tif 000006
【図５】
2004166878.tif 000007
【図６】
2004166878.tif 000008
【図７】
2004166878.tif 000009
【図８】
2004166878.tif 000010
【図９】
2004166878.tif 000011
【図１０】
2004166878.tif 000012